(57)【要約】口部３を有し，液体を収容するボトル本体２と，このボトル本体の口部３を密閉するキャップ４と，ボトル本体２の口部３近傍に脱着可能に装着されるキャップカバー５とからなり、  キャップ４が、ボトル本体２の口部３の周縁に一体に取り付けられ、第１開口部１９を有するキャップ主部７と、このキャップ主部の第１開口部１９に分断可能に一体に連結され、上部にキャップ主部７の第１開口部１９より小さい第２開口部２０を有する胴部８と、この胴部の第２開口部２０に分断可能に一体に連結される頂部９とからなり、  キャップカバー５が、その内壁に一体に、キャップカバー５の回動操作により頂部９のみを捩り、頂部９と胴部８との一体連結部分を分断して第２開口部２０を開放可能な頂部捩り用壁部と、キャップカバー５の押倒し操作により胴部８を押倒し、胴部８とキャップ主部７との一体連結部分を分断して第１開口部１９を開放可能な胴部押倒し用壁部とを備えた洗浄液ボトル１。
2004000676.tif 000002
【特許請求の範囲】
【請求項１】
口部を有し，液体を収容する容器本体と，この容器本体の口部を密閉するキャップと，このキャップまたは容器本体の口部近傍に脱着可能に装着されるキャップカバーとからなり、
キャップが、容器本体の口部の周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなり、
キャップカバーが、その内壁に一体に、キャップカバーの回動操作により頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器。
【請求項２】
頂部捩り用壁部が、頂部に係合または近接し、胴部押倒し用壁部が、胴部に係合または近接する請求項１に記載の液体容器。
【請求項３】
胴部が、円筒状体または円柱状体からなり、胴部押倒し用壁部が、胴部の周りを係合または近接して円弧状に囲み、キャップカバーの押倒し操作により胴部に当接する円弧状囲い壁からなる請求項１または２に記載の液体容器。
【請求項４】
囲い壁の両側端から略放射状に延出しキャップカバーの内壁に至る一対の延出壁をさらに備えた請求項３に記載の液体容器。
【請求項５】
頂部が、蝶羽根を備え、頂部捩り用壁部が、所定の間隔で対向しその対向間に頂部の蝶羽根を係合または近接させる一対の係合または近接壁からなる請求項１〜４のいずれか一つに記載の液体容器。
【請求項６】
頂部が、蝶羽根を備え、頂部捩り用壁部が、周方向に所定の角度間隔で対向しその対向間に頂部の蝶羽根を位置させ、キャップカバーの回動操作により頂部の蝶羽根に当接する一対の当接壁からなる請求項１〜４のいずれか一つに記載の液体容器。
【請求項７】
一対の係合または近接壁が、囲い壁から同軸に対向して延出する一対の円弧状延出壁部分と、一対の延出壁から同軸に所定の間隔で対向して延出し、その対向間に頂部の蝶羽根を係合または近接させる二対の係合または近接壁部分とからなる請求項５に記載の液体容器。
【請求項８】
一対の当接壁が、囲い壁から同軸に対向して延出する一対の円弧状延出壁部分と、一対の延出壁から同軸に周方向に所定の角度間隔で対向して延出し、その対向間に頂部の蝶羽根を位置させ、キャップカバーの回動操作により頂部の蝶羽根に当接する二対の当接壁部分とからなる請求項６に記載の液体容器。
【請求項９】
キャップカバーが、キャップまたは容器本体の口部近傍に脱着可能に液密的に嵌合されてなる請求項１〜８のいずれか一つに記載の液体容器。
【請求項１０】
液体が，生理食塩水または注射用水である請求項１〜９のいずれか一つに記載の液体容器。
【請求項１１】
液体容器が，液体ボトルである請求項１〜１０のいずれか一つに記載の液体容器。
【請求項１２】
口部を有する容器本体と，この容器本体に収容された液体と，容器本体の口部を密閉するキャップと，このキャップまたは容器本体の口部近傍に脱着可能に装着されるキャップカバーとからなり、
キャップが、容器本体の口部の周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなり、
キャップカバーが、その内壁に一体に、キャップカバーの回動操作により頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器。
【請求項１３】
容器本体の口部を密閉するキャップと，このキャップまたは容器本体の口部近傍に脱着可能に装着されるキャップカバーとからなる液体容器用キャップ構造であって、
キャップが、容器本体の口部の周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなり、
キャップカバーが、その内壁に一体に、キャップカバーの回動操作により頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器用キャップ構造。
【請求項１４】
容器本体の口部を密閉するためにその周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなるキャップに脱着可能に装着される液体容器用キャップカバーであって、
その内壁に一体に、回動操作によりキャップの頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器用キャップカバー。
【請求項１５】
口部を有する容器本体と，この容器本体の口部を密閉するキャップと，このキャップまたは容器本体の口部近傍に２以上の異なる動作を可能に装着されたキャップカバーとからなり、
キャップが、付力により開放可能に閉塞された２以上の開口部を有し、
キャップカバーが、その内壁に、キャップカバーの選択動作によって、対応する開口部を閉塞する部分に付力し、所望の開口部を選択して開放可能な付力部を有することを特徴とする容器。
【請求項１６】
付力部が、各開口部を閉塞する部分に係合可能な係合部または当接可能な当接部である請求項１５に記載の容器。
【請求項１７】
各開口部が、異なる大ききを有する請求項１５又は１６に記載の容器。
【請求項１８】
容器本体の口部を密閉するキャップと，このキャップまたは容器本体の口部近傍に脱着可能に装着されるキャップカバーとからなる容器用キャップ構造であって、
キャップが、付力により開放可能に閉塞された２以上の開口部を有し、
キャップカバーが、その内壁に、キャップカバーの選択動作によって、対応する開口部を閉塞する部分に付力し、所望の開口部を選択して開放可能な付力部を有することを特徴とする容器用キャップ構造。
【請求項１９】
容器本体の口部を密閉するためにその周縁に一体に取り付けられ、付力により開放可能に閉塞された２以上の開口部を有するキャップに脱着可能に装着される容器用キャップカバーであって、
その内壁に、キャップカバーの選択動作によって、対応する開口部を閉塞する部分に付力し、所望の開口部を選択して開放可能な付力部を有することを特徴とする容器用キャップカバー。
【発明の詳細な説明】
【技術分野】  この発明は、液体容器、それに用いるキャップ構造及びキャップカバーに関し、更に詳しくは病院、保健所等の医療機関において使用される洗浄液を収容する洗浄液容器のごとき液体容器、それに用いるキャップ構造及びキャップカバーに関する。
【背景技術】  従来、病院、保健所等の医療機関においては、手術用器具や患者の患部などの洗浄を行うために生理食塩水、注射用水、蒸留水、消毒液などの洗浄液が使用されている。このような洗浄液はバッグタイプやボトルタイプの洗浄液容器に封入されているが、その容器の口部を密閉するキャップには、通常小径開口用と大径開口用の２種類のものが使用されている。
これら２種類のうち、小径開口用のものは、例えば患者の小さな創傷部の洗浄や創傷部の部分洗浄、あるいは医療用器具の部分洗浄のような細かい洗浄に用いられ、また強く吹き付けることが必要な場合に適している。
また大径開口用のものは、例えば患者の創傷部全体や医療用器具全体の洗浄などのように多量の洗浄液の供給が１度に必要な場合に適している。
しかしながらこのような従来の洗浄液容器では用途に応じて２種類のものを保管しなくてはならないので、広い保管スペースが必要になるばかりでなく個別に在庫管理をしなければならず、面倒である。
これに対して、容器本体の口部を密閉するキャップ（本体）に、大径の切離部（薄肉部）を介して封膜部が連設され切離開封用のプルリングを備えると共に、この封膜部に、捩切り部（薄肉部）を介して上方に突出して摘み部を有する洗浄用容器が提案されている。すなわち、この洗浄用容器は、切離開封用のプルリングの引張り操作で大径の切離部を開封でき、一方、摘み部の捩じり操作で封膜部の小径の捩切り部（薄肉部）を開放できる（登録実用新案第３００９８６４号公報参照）。
このように洗浄用容器のキャップは、摘み部の捩回りか、プルリングの引張りによって小径開口と大径開口のいずれか一方を選択して形成できるので、洗浄用容器の保管は一種類で足りることになって保管スペースを小さくできると共に在庫管理が容易になる。
しかし、この洗浄用容器は、指を通すプルリング（引張りリング）の大きさ（リングの内径）が一定なので、指のサイズが合わない人には非常に使いづらいし、指のサイズが合っても、狭いスペースからプルリングを起こしたり、指を引掛ける必要があるので、操作性が悪い。また、プルリング及び摘み部が、いずれも成型上アンダーカットになり、型抜きが難しく、従って成型が容易とは言えない。さらに重要なことであるが、操作をする人の指がキャップに直接触れるので、キャップが汚染されるおそれがある。
そこで、本発明の主要な目的の一つは、構造がシンプルで、成型が容易で、かつ小径と大径の開口部を選択形成できる液体容器、それに用いるキャップ構造及びキャップカバーの提供にある。
本発明の主要なもう一つの目的は、小径と大径の開口部を選択形成する操作が容易な液体容器、それに用いるキャップ構造及びキャップカバーの提供にある。
本発明の主要なもう一つの目的は、キャップの汚染を防止できる液体容器、それに用いるキャップ構造及びキャップカバーの提供にある。
【発明の開示】
本発明は、口部を有し，液体を収容する容器本体と，この容器本体の口部を密閉するキャップと，このキャップまたは容器本体の口部近傍に脱着可能に装着されるキャップカバーとからなり、
キャップが、容器本体の口部の周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなり、
キャップカバーが、その内壁に一体に、キャップカバーの回動操作により頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器を提供する。
すなわち、本発明に係る液体容器は、キャップカバーの内壁に特定の頂部捩り用壁部と胴部押倒し用壁部とを備えているので、キャップカバーを捩るか押倒す操作だけで、大小の開口部（第１・第２開口部）を選択して開放でき、さらに構造がシンプルで、成型が容易で、かつ操作が簡単になるとともに、操作をする人の指がキャップに触れないので、キャップの汚染を防止することができる。
本発明において、キャップ主部の第１開口部に胴部を、この胴部の第２開口部に頂部をそれぞれ一体に連結するに際し、分断可能とは、それぞれ一体に連結される部分が、頂部に対して捩り（容器の軸周りに回転力を与える）操作、または胴部に対し押倒し（折り曲げ方向の力を与える）操作によって分断され、それによって所望の径の開口を形成できるように、一体連結部分が薄肉にされたり、Ｖ断面の溝、ミシン目状のＶカット線などが付されて他の部分に対して機械的強度を弱めていること（脆弱化）を意味する。
そして、例えば、頂部と胴部との一体連結部が、その肉厚を、胴部とキャップ主部との一体連結部のそれと同じか、またはそれより小さく（以下と）すれば、頂部の捩り操作で直径の小さい頂部と胴部との一体連結のみが分断され、小径の開口が形成される。もちろん、胴部の押倒し操作で胴部とキャップ主部との一体連結部のみが分断され、大径の開口が形成される。
本発明において、胴部は、円筒状体または円柱状体で構成でき、胴部押倒し用壁部は、胴部の周りを近接または係合して円弧状に囲み、キャップカバーの押倒し操作により胴部に当接する円弧状囲い壁（リブ）で構成できる。なお、この囲い壁は、その両側端から略放射状に延出しキャップカバーの内壁に至る一対の延出壁（リブ）をさらに備えると、胴部の押倒しに耐える強度を確保できる。
本発明において、頂部が、蝶羽根を備え、頂部捩り用壁部が、所定の間隔で対向しその対向間に頂部の蝶羽根を係合または近接させる一対の係合または近接壁（リブ）で構成されると、キャップカバーの回動操作により確実に蝶羽根に捩り力を付与できる。なお、一対の係合または近接壁は、囲い壁から同軸に対向して延出する一対の円弧状延出壁部分と、一対の延出壁から同軸に所定の間隔で対向して延出し、その対向間に頂部の蝶羽根を係合または近接させる二対の係合または近接壁部分とで構成し、キャップカバーの内部構造をシンプルにするのが好ましい。
一方、頂部が、蝶羽根を備え、頂部捩り用壁部が、周方向に所定の角度間隔で対向しその対向間に頂部の蝶羽根を位置させ、キャップカバーの回動操作により頂部の蝶羽根に当接する一対の当接壁（リブ）で構成されると、蝶羽根との寸法合わせが容易になって実用的である。
なお、一対の当接壁は、囲い壁から同軸に対向して延出する一対の円弧状延出壁部分と、一対の延出壁から同軸に周方向に所定の角度間隔で対向して延出し、その対向間に頂部の蝶羽根を位置させ、キャップカバーの回動操作により頂部の蝶羽根に当接する二対の当接壁部分とで構成し、キャップカバーの内部構造をシンプルにするのが好ましい。また、キャップカバーの内壁に設ける囲い壁、係合または近接壁、当接壁などの構成壁は、通常、成形しやすいように略均一の薄い板状に形成されるが、各構成壁とカバー部との間に樹脂材料を埋める構成でもよい。
本発明において、キャップ主部は、容器本体の口部の周縁に装着されるが、具体的には，キャップ主部の下端周面を容器本体の口部の上端周面に溶着または接着するか、容器本体の口部が筒状に突出している場合には、キャップ主部を口部の外または内に嵌合させ、溶着または接着することによって、キャップ主部は容器本体の口部に簡便に装着できる。
なお、キャップとキャップカバーとは、うまく合うように係合または近接させれば（リムのごとく）、大・小、どの開口部が開放されても、連結部の分断によるゴミが、キャップカバーの内側に一定期間保持されるので、容器内への落下を防止できるとともに、ゴミの散らばりを防止できる。また、キャップカバーをキャップのある一定方向に着けたい場合に、キャップカバーの、キャップへの誤着を防止するため、例えばキャップ側に凸部を、キャップカバー側に凹部をそれぞれ設けることができる（凹部と凸部の関係を逆にしてもよい）。
本発明は、別の観点によれば、口部を有する容器本体と，この容器本体に収容された液体と，容器本体の口部を密閉するキャップと，このキャップまたは容器本体の口部近傍に脱着可能に装着されるキャップカバーとからなり、
キャップが、容器本体の口部の周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなり、
キャップカバーが、その内壁に一体に、キャップカバーの回動操作により頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器を提供できる。
本発明は、さらに別の観点によれば、容器本体の口部を密閉するキャップと，このキャップまたは容器本体の口部近傍に脱着可能に装着されるキャップカバーとからなる液体容器用キャップ構造であって、
キャップが、容器本体の口部の周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなり、
キャップカバーが、その内壁に一体に、キャップカバーの回動操作により頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器用キャップ構造を提供でき、種々の仕様（例えば、容量を異にするもの）の容器本体の口部に封着される共通の液体容器用キャップ構造として使用できる。
本発明は、さらに別の観点によれば、容器本体の口部を密閉するために、その周縁に一体に取り付けられ、第１開口部を有するキャップ主部と、このキャップ主部の第１開口部に分断可能に一体に連結され、上部に前記キャップ主部の第１開口部より小さい第２開口部を有する胴部と、この胴部の第２開口部に分断可能に一体に連結される頂部とからなるキャップに脱着可能に装着される液体容器用キャップカバーであって、
その内壁に一体に、回動操作によりキャップの頂部のみを捩り、頂部と胴部との一体連結部分を分断して第２開口部を開放可能な頂部捩り用壁部と、キャップカバーの押倒し操作により胴部を押倒し、胴部とキャップ主部との一体連結部分を分断して第１開口部を開放可能な胴部押倒し用壁部とを備えたことを特徴とする液体容器用キャップカバーを提供できる。
本発明は、さらに別の観点によれば、口部を有する容器本体と，この容器本体の口部を密閉するキャップと，このキャップまたは容器本体の口部近傍に２以上の異なる動作を可能に装着されたキャップカバーとからなり、
キャップが、付力により開放可能に閉塞された２以上の開口部を有し、
キャップカバーが、その内壁に、キャップカバーの選択動作によって、対応する開口部を閉塞する部分に付力し、所望の開口部を選択して開放可能な付力部を有することを特徴とする容器を提供でき、この容器によって、キャップカバーの操作だけで、キャップの複数の（２以上の）開口部を選択的に開けることができる。特にキャップに手を触れることなくキャップに開口部を形成できるので、衛生的で、キャップをはずす手間がかからず、操作が簡単で、外部からのゴミの付着を防止できるなどの効果を奏する。
ここで、付力部は、キャップカバーの選択動作によって、開口部を閉塞する部分（この部分に連動する部分を含み、例えば閉塞部分に取付けられた付力用棒状体または紐状体が該当する）に機械的な力を付加し、それによって閉塞された開口部を開放するための、キャップカバーの内壁の部分を意味し、好ましくは各開口部を閉塞する部分に係合可能な係合部または当接可能な当接部を挙げることができる。
そして、キャップカバーの異なる動作の形態としては、回動（回転）、押倒し、引張り、押込みおよびこれらの方向（例えば、左・右方向の回動、押倒し方向）や大きさ（例えば、回動角度）の違いなどの組み合わせを挙げることができ、これらの付力によって、開口部を閉塞する部分を、捩り、押倒し、引張り、切り込みなどして開放する。各開口部は、容器本体に収容される液体の取出し量を、具体的には多量を一気に、または少量ずつのごとく、所望量にするために、異なる大きさを有するのが好ましい。なお、これらの容器は、必ずしも液体専用ではなく、粉末状、粒状、顆粒状等の固体物や半固体物の容器としても利用できる。
本発明において、キャップの閉塞された２以上の開口部は、キャップカバーによる付力により開放できるが、具体的には、開口部と、この開口部を閉塞する部分とが付力により分断可能に連結されている。ここで、分断可能とは、それぞれ一体に連結される部分が、上述の捩り（軸周りの回転力を与える）、押倒し（折り曲げ方向の力を与える）などの操作によって分断され、それによって所望の開口を形成できるように、一体に連結される部分が薄肉にされたり、Ｖ断面の溝、ミシン目状のＶカット線などが付されて他の部分に対して機械的強度を弱められていること（脆弱化）を意味する。
本発明は、さらに別の観点によれば、容器本体の口部を密閉するキャップと，このキャップまたは容器本体の口部近傍に脱着可能に装着されるキャップカバーとからなる容器用キャップ構造であって、
キャップが、付力により開放可能に閉塞された２以上の開口部を有し、
キャップカバーが、その内壁に、キャップカバーの選択動作によって、対応する開口部を閉塞する部分に付力し、所望の開口部を選択して開放可能な付力部を有することを特徴とする容器用キャップ構造を提供できる。
本発明は、さらに別の観点によれば、容器本体の口部を密閉するためにその周縁に一体に取り付けられ、付力により開放可能に閉塞された２以上の開口部を有するキャップに脱着可能に装着される容器用キャップカバーであって、
その内壁に、キャップカバーの選択動作によって、対応する開口部を閉塞する部分に付力し、所望の開口部を選択して開放可能な付力部を有することを特徴とする容器用キャップカバーを提供できる．
ここで、２以上の開口部は、具体的には、２，３またはそれ以上の開口部を意味し、２つの開口部を持つ容器の例を次の［発明の実施の形態］で説明し、３つの開口部を持つ例を以下に説明する。
すなわち、３つの開口部を有する容器の例は、そのキャップが、容器本体の口部の周縁に一体に取り付けられ、第１開口部を有するキャップ主部と、このキャップ主部の第１開口部に分断可能に一体に連結され、上部に前記第１開口部より小さい第２開口部を有する胴部と、この胴部の第２開口部に分断可能に一体に連結され、上部に前記第２開口部より小さい第３開口部を有する下頂部と、この下頂部の第３開口部に分断可能に一体に連結された上頂部とからなり、上頂部には蝶羽根の一方の羽根、下頂部には他方の羽根をそれぞれ備え、キャップカバーが、その内壁に、中心軸から放射状に延びる片羽根状係合部を備えている。かくして、キャップを回動させると、その回動方向によって下頂部か、上頂部の羽根を捩り、それぞれ対応して第２開口部か第３開口部を選択的に開放することができる。第１開口部は、キャップカバーの押倒しによって、キャップの胴部を押倒し開放できる。
【図面の簡単な説明】  図１は、本発明に係る液体容器の一つの実施の形態を示す正面図である。
図２は、図１の要部拡大断面図である。
図３は、図２と異なる断面における要部拡大断面図である。
図４は、キャップカバーを除いた状態を示す要部斜視図である。
図５は、図４の矢印Ａ方向から見た矢視図である。
図６は、図５の平面図である。
図７は、図１のキャップカバーの正面図である。
図８は、キャップカバーの底面図である。
図９は、キャップカバーのカバー部を取り除いて内部の壁構成を説明する説明斜視図である。
図１０は、キャップカバーの平面図である。
図１１は、液体容器の広口開口の形成（第１開口部１９の開放）方法を示す説明斜視図
であり、（ａ）が洗浄液ボトルのキャップカバーに対する親指の位置を示し    、
（ｂ）が親指によるキャップカバーの押倒す状態を示す。
図１２は、洗浄液ボトルの細口開口の形成（第２開口部２０の開放）方法を示す説明斜視図であり、（ａ）が洗浄液ボトルのキャップカバーに対する親指と人差し指との位置を示し、（ｂ）が親指と人差し指とによるキャップカバーの回動状態を示す。
図１３は、本発明の実施の形態２を示すキャップカバーの底面図（図８相当図）である。
図１４は、同じくキャップカバーの縦断面図である。
図１５は、同じくキャップカバーのカバー部を取り除いて内部の壁構成を説明する説明斜視図（図９相当図）である。
図１６は、本発明の実施の形態３を示すキャップカバーの底面図（図８相当図）である。
図１７は、同じくキャップカバーの縦断面図である。
図１８は、同じくキャップカバーのカバー部を取り除いて内部の壁構成を説明する説明斜視図（図９相当図）である。
【発明を実施するための最良の形態】  以下、図に示す各実施の形態に基づいて本発明を詳述する。なお、これによって本発明が限定されるものではない。
［実施の形態１］
図１は本発明に係る液体容器の一つの実施の形態を示す正面図、図２は図１の要部拡大断面図、図３は図２とは異なる断面における要部拡大断面図、図４はキャップの斜視図、図５は図４の矢印Ａ方向から見た矢視図、図６は図５の平面図、図７は図１のキャップカバーの正面図、図８はキャップカバーの底面図、図９はキャップカバーのカバー部を取り除いて内部の構成を説明する説明斜視図、図１０はキャップカバーの平面図である。
まず、図１において、液体容器としての洗浄液ボトル１は、洗浄液として生理食塩水または注射用水（図示省略）を収容したボトル本体２と、このボトル本体の口部３に固着され、口部３を密閉するキャップ４と、このキャップに脱着可能に係合された別体のキャップカバー５とから主としてなる。
次に、図２〜６において、ボトル本体２は、ポリプロピレン樹脂のブロー成形法により得られたボックス状のボトル（容器）であり、その口部３から生理食塩水または注射用水（約１００ｍｌ）を注入した後、口部３の上端周面に後述するキャップ４を、その下端周面、つまり下フランジ部６を一体に溶着することによって封着している。
さて、キャップ４は、ポリプロピレン樹脂の射出成形によって全体的に一体に成形され（例えば、肉厚：平均約１．０ｍｍ）、特に図２〜３において、第１開口部１９を有し、キャップカバー５を脱着可能に係合させるキャップ主部７と、このキャップ主部の第１開口部１９に分断可能に一体に連結され、円筒状で、第１開口部１９より小さい第２開口部２０を有する胴部８と、この胴部の第２開口部２０に分断可能に一体に連結された頂部９とから主としてなる。
なお、８ａは胴部８の鍔であり、キャップ主部７の第１開口部１９に一体に連結する大径開口形成用薄肉首部１０（例えば、Ｖ断面の溝状でその底部の肉厚：約０．４ｍｍ）を有し、この薄肉首部１０は胴部８の押倒しによって分断でき第１開口部１９を形成できる。胴部８が、その下方周面の一部分からその鍔８ａの上面に沿って薄肉首部１０の近傍まで放射方向に延びるリブ２１を有する。
頂部９は、胴部８の第２開口部２０に、一体に連結して小径開口形成用薄肉首部１２（例えば、Ｖ断面の溝状で、その底部の肉厚：約０．４ｍｍ）と、この薄肉首部１２の上の蝶羽根状摘み１３とを有し、この摘み１３を捩ることにより、薄肉首部１２のみを分断することができ（薄肉首部１０を捩切ることなく）、それによって小径開口を形成できる。また、キャップカバー５の内周面には係合凸条１７を、キャップ主部７の外周面には係合凸条１７に係合する溝１８をそれぞれ形成し、キャップカバー５がキャップ４の口部３に脱着可能に液密的に係合（または嵌合）できるようにしている。
一方、キャップカバー５は、特に図７〜９において、全体がポリプロピレン樹脂の射出成形法によって一体に成形され（例えば、肉厚：平均約１．０ｍｍ）、カバー部５ａと、このカバー部の内壁に、頂部捩り用壁部と、胴部押倒し用壁部と、この胴部押倒し用壁部をカバー部５ａにそれぞれ連結する連結壁部とを主として備えている。
まず、頂部捩り用壁部は、所定の間隔で対向しその対向間で頂部９の摘み１３を両側から緩く挟むように係合する係合壁（リブ）２２、２２および２３、２３からなり、キャップカバー５を回動操作すると、頂部９の摘み１３のみを捩り、頂部９と胴部８との一体連結部分を分断して小径開口のみを形成（第２開口部２０のみを開放）できる。
一方、胴部押倒し用壁部は、胴部８の周りを両側から近接して（例えば、間隔：約０．２５ｍｍ）円弧状に囲む一対の円弧状囲い壁（リブ）２４、２４からなり、キャップカバー５を押倒し操作すると、胴部８に当接して胴部８を押倒し、胴部８とキャップ主部７との一体連結部分を分断して大径開口を形成（第１開口部１９を開放）できる。ここで、胴部８の下方周面の一部分からその鍔８ａの上面に沿って薄肉首部１０の近傍まで放射方向に延びるリブ２１を有しているので、胴部８の押倒しが一体連結部分に直接伝わり、一体連結部分の分断が確実になる。
なお、この囲い壁２４，２４には、その両側端から放射状に延出しキャップカバー５の内壁５ａに至る延出壁２５，２５を有し、この延出壁は上述の係合壁２２、２２および２３、２３と同軸である。また、２７，２７は囲い壁２４，２４を同軸に延出させた延出壁である。
連結壁部は、囲い壁２４，２４をキャップカバー５のカバー部５ａにそれぞれ連結して補強する連結補強壁（リブ）２６，２６からなる。
なお、図１０において、中央の大きな矢印Ｂはキャップカバー５の押倒し操作方向を示し、小さな矢印Ｃがキャップカバー５の回動操作方向を示す。
図１１は本発明の液体容器としての洗浄液ボトルの大径開口の形成（広口開口の形成または第１開口部の開放）方法を示す説明斜視図であり、（ａ）が洗浄液ボトルのキャップカバーに対する親指の位置を示し、（ｂ）が親指によるキャップカバーの押倒し状態を示す。
図１２は洗浄液ボトルの小径開口の形成（細口開口の形成または第２開口部の開放）方法を示す説明斜視図であり、（ａ）が洗浄液ボトルのキャップカバーに対する親指と人差し指との位置を示し、（ｂ）が親指と人差し指とによるキャップカバーの回動状態を示す。
図１１において、洗浄液ボトル１は、キャップカバー５を押倒し操作（押圧操作）することによって、胴部８を押倒すことができ、容易に大径開口（直径：約１８ｍｍ）のみを形成できる。そして、その大径開口から一気に洗浄液を流出させることができ、それによって患者の創傷部全体や医療用器具全体などの洗浄に供することができる。
一方、図１２において、キャップカバー５を回動操作（回転操作）することによって、摘み１３を捩じることができ、それによって小径開口（直径：約６ｍｍ）のみを形成できる。そして、その小径開口から少しづつ洗浄液を流出させ、患者の小さな創傷部や創傷部の一部などの洗浄に供することができる。
要するに、洗浄液ボトル１は、キャップカバー５の操作の選択（回動か、押倒し）により、小径開口（細口）と大径開口（広口）とを所望のものに選択形成でき、それによって一つの寸法仕様のボトルを二つの洗浄用途に使いわけることができ、液体容器の保管も、一種類で足り、保管スペースを小さくできると共に在庫管理も容易になる。
また、洗浄液ボトル１は、特にキャップ４が射出成形法によって成形（成型）できるので、成形が容易である。具体的には、キャップ４は、例えば、左右対象の１対の外型と、下部から押さえ込む１つの内型とからなる３つの型で一度に射出成形して得られるので、難しい型抜きもなく、成型が容易であり、また他の仕様の容器本体（例えば、容量２００ｍｌ）の口部に対する共通のキャップとしても使用できる。さらに、洗浄液ボトル１は、キャップ４の胴部８と摘み１３に対するキャップカバーの異なる付力操作によって、一体連結部（薄肉首部１０、１２）を分断でき、小径開口と大径開口とを選択形成できるので、操作がわかりやすい。
さらに付記すれば、キャップカバー５は、図２又は図３において、そのカバー部５ａの天井壁部分２９を薄肉（例えば  ０．１〜０．２ｍｍ）に形成している。したがって、洗浄液ボトル１の滅菌時に、キャップ４とキャップカバー５との間に水滴が入り込んでも、その水滴を、その薄肉部分の材料であるポリプロピレン樹脂の水蒸気透過性を利用して、その薄肉部分を介して徐々に外部に放出させ、消失させることができ、衛生的である。そして、この水滴の放出は、温度を高くすると、より早く、より顕著になる。
なお、このキャップカバー５は、ポリプロピレン樹脂で形成されているが、ポリエチレン樹脂、ポリエチレンテレフタレート樹脂などで形成しても水滴を消失させることができる。
［実施の形態２］
図１３は本発明の実施の形態２を示すキャップカバーの底面図（図８相当図）、図１４は同じくキャップカバーの縦断面図、図１５は同じくキャップカバーのカバー部を取り除いて内部の壁構成を説明する説明斜視図（図９相当図）である。
実施の形態２は、上述の実施の形態１とキャップカバーの構成のみ異なるので、他の構成の説明を省略する。なお、以下の説明では他の構成の符号は実施の形態１のそれを使用する。
さて、図１３〜１５において、キャップカバー３５は、全体がポリプロピレン樹脂の射出成形法によって一体に成形され、カバー部３５ａと、このカバー部の内壁に、頂部捩り用壁部と、胴部押倒し用壁部と、この胴部押倒し用壁部をカバー部５ａに連結する連結壁部とを主として備えている。
まず、頂部捩り用壁部は、所定の間隔（例えば、角度６０度）で対向しその対向間に頂部９の摘み１３を位置させる当接壁（リブ）３２、３２および３３、３３からなり、キャップカバー３５を回動操作すると、頂部９の摘み１３に当接して摘み１３のみを捩り、頂部９と胴部８との一体連結部分を分断して小径開口のみを形成（第２開口部２０のみを開放）できる。
一方、胴部押倒し用壁部は、胴部８の周りを両側から近接して（例えば、間隔：約０．２５ｍｍ）円弧状に囲む一対の円弧状囲い壁（リブ）３４、３４からなり、キャップカバー３５を押倒し操作すると、胴部８に当接して胴部８を押倒し、胴部８とキャップ主部７との一体連結部分を分断して大径開口を形成（第１開口部１９を開放）できる。なお、この囲い壁３４，３４には、その両側端から放射状に延出しキャップカバー３５のカバー部３５ａ内壁に至る延出壁３８，３８を有し、この延出壁は上述の当接壁３２、３２および３３、３３と同軸である。また、３６，３６は囲い壁３４，３４を同軸に延出させた延出壁である。３７，３７は、囲い壁３４，３４の対向面に略水平に形成されたリム（細い凸条）であり、キャップ４にキャップカバー３５を被せたときに、それらのリム３７，３７が、キャップ４の頂部９と胴部８との一体連結部分（凹溝部分）に係合し、キャップカバー３５の落下を防止する。
［実施の形態３］
図１６は本発明の実施の形態３を示すキャップカバーの底面図（図８相当図）、図１７は同じくキャップカバーの縦断面図、図１８は同じくキャップカバーのカバー部を取り除いて内部の壁構成を説明する説明斜視図（図９相当図）である。
実施の形態３は、上述の実施の形態１とキャップカバーの構成のみ異なるので、他の構成の説明を省略する。なお、以下の説明では他の構成の符号は実施の形態１のそれを使用する。
さて、図１６〜１８において、キャップカバー４５は、全体がポリプロピレン樹脂の射出成形法によって一体に成形され、カバー部４５ａと、このカバー部の内壁に、頂部捩り用壁部と、胴部押倒し用壁部と、この胴部押倒し用壁部をカバー部５ａに連結する連結壁部とを主として備えている。
まず、頂部捩り用壁部は、所定の間隔（例えば、角度６０度）で対向しその対向間に頂部９の摘み１３を位置させる当接壁（リブ）４２、４２および４３、４３からなり、キャップカバー４５を回動操作すると、頂部９の摘み１３に当接して摘み１３のみを捩り、頂部９と胴部８との一体連結部分を分断して小径開口のみを形成（第２開口部２０のみを開放）できる。
なお、一方の４７は、当接壁４２と、後述する囲い壁４４の他方側寄り部分４８と、この部分に近接する延出壁部分４９とを斜めに連結する傾斜連結壁部分であり、他方の４７は、当接壁４３と、後述する囲い壁４４の他方側寄り部分４８と、この部分に近接する延出壁部分４９とを斜めに連結する傾斜連結壁部分である。
一方、胴部押倒し用壁部は、胴部８の周りを両側から近接して（例えば、間隔：約０．２５ｍｍ）円弧状に囲む一対の円弧状囲い壁（リブ）４４、４４からなり、キャップカバー４５を押倒し操作すると、胴部８に当接して胴部８を押倒し、胴部８とキャップ主部７との一体連結部分を分断して大径開口を形成（第１開口部１９を開放）できる。なお、この囲い壁４４，４４には、同軸に延出する延出壁４６，４６を有する。
なお、以上の実施の形態１〜３とは異なり、液体容器の容器本体を、柔軟なシートで構成した液体バッグ（袋）とすることもできる。また、液体容器に収容する液体は、蒸留水、消毒液（例えば、消毒用エタノール）などの洗浄液とすることもでき、さらには中性水、またはコンタクトレンズの洗浄液であってもよい。
【産業上の利用の可能性】
本発明によれば、キャップカバーの内壁に特定の頂部捩り用壁部と胴部押倒し用壁部とを備えているので、キャップカバーを回動させるか押倒す操作だけで、大小の開口部（第１・第２開口部）を選択して形成できて操作が簡単になるとともに、操作をする人の指がキャップに触れないので、キャップの汚染を防止することができる。
【図１】
2004000676.tif 000003
【図２】
2004000676.tif 000004
【図３】
2004000676.tif 000005
【図４】
2004000676.tif 000006
【図５】
2004000676.tif 000007
【図６】
2004000676.tif 000008
【図７】
2004000676.tif 000009
【図８】
2004000676.tif 000010
【図９】
2004000676.tif 000011
【図１０】
2004000676.tif 000012
【図１１】
2004000676.tif 000013
【図１２】
2004000676.tif 000014
【図１３】
2004000676.tif 000015
【図１４】
2004000676.tif 000016
【図１５】
2004000676.tif 000017
【図１６】
2004000676.tif 000018
【図１７】
2004000676.tif 000019
【図１８】
2004000676.tif 000020
【国際調査報告】
2004000676.tif 000021
2004000676.tif 000022
2004000676.tif 000023
2004000676.tif 000024